(57)【特許請求の範囲】
【請求項１】
複数の光ビームにより被走査面上の１本の走査ラインを分割して走査する光走査装置において、
主走査方向および副走査方向にパワーを持つ光学部材よりも前記複数の光ビームの各々の進行方向下流側に配置され、前記複数の光ビームが互いに異なる入射角度で入射する透過部材と、
前記透過部材から透過した複数の光ビームの各々の一部を検知して、前記被走査面上と同等となる位置で前記複数の光ビームの副走査方向の間隔を検出する検出手段と、
前記検出手段による検出結果に基づいて、前記透過部材を移動させ、前記入射角度、或いは透過経路長を変更することにより、前記複数の光ビームのつなぎ目の位置ずれが補正されるように前記複数の光ビームの副走査方向の間隔を補正する補正手段と、
を有することを特徴とする光走査装置。
【請求項２】
前記検出手段は、前記被走査面上と同等となる位置に、受光面に１走査ライン幅の複数の遮光部が副走査方向に１走査ライン幅の整数倍の間隔で設けられるか又は１走査ライン幅の複数の受光部が副走査方向に１走査ライン幅の整数倍の間隔で設けられ、前記透過部材から透過した光ビームの一部を検知して副走査位置を検出する請求項１記載の光走査装置。
【請求項３】
前記検出手段は、主走査方向の長さが互いに異なる１走査ライン幅の複数の受光部が副走査方向に１走査ライン幅の整数倍の間隔で前記被走査面上と同等となる位置に設けられ、該複数の受光部によって前記透過部材から透過した光ビームの一部を検知し、該複数の受光部の各々の出力ピークの時間差に基づいて、副走査方向の間隔を検出する請求項１記載の光走査装置。
【請求項４】
複数の光ビームにより被走査面上を走査する光走査装置において、
主走査方向および副走査方向にパワーを持つ光学部材よりも前記光ビームの進行方向下流側に配置され、前記複数の光ビームが互いに異なる入射角度で入射する透過部材と、
主走査方向の長さが互いに異なる１走査ライン幅の複数の受光部が副走査方向に１走査ライン幅の整数倍の間隔で前記被走査面上と同等となる位置に設けられ、該複数の受光部によって前記透過部材から透過した光ビームの一部を検知し、該複数の受光部の各々の出力ピークの時間差に基づいて副走査方向の間隔を検出する検出手段と、
前記検出手段による検出結果に基づいて、前記透過部材を移動させ、前記入射角度、或いは透過経路長を変更することにより、前記複数の光ビームの副走査方向の間隔を補正する補正手段と、
を有することを特徴とする光走査装置。
【請求項５】
前記透過部材が、平板ガラスであり、
前記補正手段が、主走査方向を回転軸にして前記平板ガラスを回転させて前記複数の光ビームの副走査方向の間隔を補正する、
ことを特徴とする請求項１乃至請求項４のいずれか１項記載の光走査装置。
【請求項６】
前記透過部材が、断面形状が楔型のガラス板であり、
前記補正手段が、前記ガラス板を副走査方向に移動して前記複数の光ビームの副走査方向の間隔を補正する、
ことを特徴とする請求項１乃至請求項４のいずれか１項記載の光走査装置。
【請求項７】
前記補正手段が、前記被走査面上における前記複数の光ビーム間の副走査間隔が１走査ライン幅の整数倍になるように、前記複数の光ビームの副走査方向の間隔を補正する、
ことを特徴とする請求項１乃至請求項６の何れか１項に記載の光走査装置。
【発明の詳細な説明】
【０００１】
【発明の属する技術分野】
本発明は、光走査装置に係り、特に複数の光ビームにより被走査面上を走査する光走査装置に関する。
【０００２】
【従来の技術】
レーザプリンタ、デジタル複写機など、光走査装置により光ビームを走査して画像を記録する画像記録装置が普及している。
【０００３】
このような光走査装置では、図１３に示すように、一つの光源３００から出射された光ビームを集光レンズ群３０２を介して回転多面鏡３０４へ照射すると共に、該回転多面鏡３０４に照射された光ビームを該回転多面鏡３０４の回転に伴って移動する反射面３０４Ａによって反射することにより、結像光学系３０６を介して感光体ドラム３０８の軸方向に沿って走査露光していた。
【０００４】
ここで、近年のネットワーク技術の進歩、コンピュータの高性能化により、その出力装置である画像記録装置においても高速かつ高解像度の画像出力が求められている。高速、高解像度の要求を実現するためには、単位時間当たり走査ライン数を上げる必要があり、上記のような回転多面鏡を用いた光走査装置では、回転多面鏡の回転数を増加させることにより、光ビームが感光体ドラム上の１走査を行う時間を短縮させることが考えられる。
【０００５】
しかし、回転多面鏡を回転駆動させるスキャナモータの回転速度はボールベアリングを使用した場合は、現在、１５，０００ｒｐｍが限度である。また、大幅なコストアップを招く空気軸受を使用したとしても４０，０００ｒｐｍが限度である。従って、回転多面鏡の回転数を増加させることによって高速化及び高解像度化を図るには限界がある。
【０００６】
次に、回転多面鏡の反射面の数を多くすることが考えられるが、反射面の数が増えると、回転多面鏡が大径化する。このため、通常のスキャナモータでは、消費電力の増大およびスキャナモータヘの負荷増大による信頼性の低下という問題が発生する。また、反射面の数が増えると、必然的に１つの反射面が光ビームを走査する走査角が小さくなる。このため、回転多面鏡から一定の距離の位置における走査幅は走査角の減少に伴って短くなる。つまり、従来と同じ走査幅を確保するためには回転多面鏡から感光体ドラムまでの距離を大きくする必要があり、光走査装置の大型化を招くという問題があった。
【０００７】
そこで、従来より、１つの光走査装置で複数の光源を用いて、複数ビームで感光体ドラムを走査することによって高速化及び高解像度化を図ることが提案されている。例えば、図１４に示されるように、光３１０Ａ、３１０Ｂから出射された光ビームＡ、Ｂを集光レンズ群３０２Ａ、Ｂを介して、プリズム３１２で合成した後、回転多面鏡３０４で偏向し、結像光学系３０６を介して、感光体ドラム３０８上を２本の走査ラインで同時に走査する同時走査方式の光走査装置が提案されている（特開平７−４６３８５号公報参照）。
【０００８】
この同時走査方式の光走査装置では、被走査媒体上で２本のビームを同時に走査するため、２ビームの間隔がずれてしまうと、画像に濃度むらが生じてしまうことがある。このため、２つのビームの少なくとも一方の光路上に回転可能な平板ガラス３１４を配設し、図１５に示されるように、平板ガラス３１４を主走査方向／副走査方向に回転することで、２ビーム間隔や書き出しタイミングを調整可能している。
【０００９】
また、図１６に示されるように、複数の光源３２０Ａ、３２０Ｂから射出された光ビームを回転多面鏡３０４により偏向し、偏向された複数のビームで感光体ドラム３０８の１本の走査ラインを分割して走査する分割走査方式の光走査装置が提案されている（特開平１０−２３２３５７号公報参照）。
【００１０】
この分割走査方式の光走査装置では、１本の走査ラインを２本のビームで走査するため、２本のビームＲａ、Ｒｂが接続するつなぎ目部分の主走査方向及び副走査方向の位置精度が重要である。このため、走査開始側及び終端側の少なくとも一方に設けた光ビームを検知する検知手段３２２を設け、その検知信号をもとに光ビームの照射タイミングを変更し、位置を調整している。具体的には、主走査方向の位置は、光ビームの照射タイミングを変化させることで調整し、副走査方向の位置は、各光源に対して複数ライン分の画像データを記憶する記憶手段を設け、照射するために読みこむ画像データを１ライン単位で変更することにより、副走査位置を１ライン単位で調整している。
【００１１】
【発明が解決しようとする課題】
しかしながら、上記のような同時走査方式の光走査装置では、２ビーム間隔や書き出しタイミングの調整手段（平板ガラス３１４）が２つのビームの合成前に配置され、簡単な構成でとなっている反面、この調整手段より後方に光学部品が多数介在しているため、各光学部品の変動によって生じる光路変動が大きく、精度の高い調整を行なうのは難しかった。
【００１２】
また、分割走査方式の光走査装置では、つなぎ目部分の副走査位置を１ライン単位で調整可能ではあるが、より一層の高画質化を目指すためには１ライン以下の調整が必要であった。また、調整量を多くするためには、記憶手段に記憶する画像データのライン数を増やす必要があり、イメージメモリの数や容量が増大し、回路の複雑化やコストアップを招く。
【００１３】
本発明は、以上の問題点を解決するためになされたものであり、複数ビームの光走査装置に係り、複数ビームの相対的な間隔を調整することができ、かつ分割走査方式の光走査装置においては、被走査媒体上のつなぎ目部の副走査方向の走査線位置を１ライン以下の精度で合わせることができ、安価で容易な調整機構を提供することを目的とする。
【００１４】
【課題を解決するための手段】
上記目的を達成するために、請求項１に記載の発明は、複数の光ビームにより被走査面上の１本の走査ラインを分割して走査する光走査装置において、主走査方向および副走査方向にパワーを持つ光学部材よりも前記複数の光ビームの各々の進行方向下流側に配置され、前記複数の光ビームが互いに異なる入射角度で入射する透過部材と、前記透過部材から透過した複数の光ビームの各々の一部を検知して、前記被走査面上と同等となる位置で前記複数の光ビームの副走査方向の間隔を検出する検出手段と、前記検出手段による検出結果に基づいて、前記透過部材を移動させ、前記入射角度、或いは透過経路長を変更することにより、前記複数の光ビームのつなぎ目の位置ずれが補正されるように前記複数の光ビームの副走査方向の間隔を補正する補正手段と、を有することを特徴としている。
【００１５】
請求項１に記載の発明によれば、透過部材に、被走査面を走査するための複数の光ビームが互いに異なる入射角度で入射される。補正手段では、前記透過部材から透過した複数の光ビームの各々の一部を検知して、前記被走査面上と同等となる位置で前記複数の光ビームの副走査方向の間隔を検出する検出手段による検出結果に基づいて、透過部材を移動させて、前記複数の光ビームのつなぎ目の位置ずれが補正されるように光ビームの入射角度、又は透過経路長（光ビームが透過する透過部材の厚さ）を変化させる。これにより、透過部材からの光ビームの射出位置または射出方向が変化し、副走査方向の間隔が調整される。このとき、透過部材が、主走査方向及び副走査方向にパワーを持つ光学部材の光ビームの進行方向後側に設けられているので、他の光学部材によって、透過後の光ビームの光路が変動されることがない。これにより、透過部材の移動量演算が簡単に求めることができ、且つ精度の高い副走査方向の間隔の補正を行なうことができる。
【００１６】
なお、請求項２に記載されているように、前記検出手段は、前記被走査面上と同等となる位置に、受光面に１走査ライン幅の複数の遮光部が副走査方向に１走査ライン幅の整数倍の間隔で設けられるか又は１走査ライン幅の複数の受光部が副走査方向に１走査ライン幅の整数倍の間隔で設けられ、前記透過部材から透過した光ビームの一部を検知して副走査位置を検出するようにするとよい。
【００１７】
また、請求項３に記載されているように、前記検出手段は、主走査方向の長さが互いに異なる１走査ライン幅の複数の受光部が副走査方向に１走査ライン幅の整数倍の間隔で前記被走査面上と同等となる位置に設けられ、該複数の受光部によって前記透過部材から透過した光ビームの一部を検知し、該複数の受光部の各々の出力ピークの時間差に基づいて、副走査方向の間隔を検出するようにしてもよい。
【００１８】
また、請求項４に記載の発明は、複数の光ビームにより被走査面上を走査する光走査装置において、主走査方向および副走査方向にパワーを持つ光学部材よりも前記光ビームの進行方向下流側に配置され、前記複数の光ビームが互いに異なる入射角度で入射する透過部材と、主走査方向の長さが互いに異なる１走査ライン幅の複数の受光部が副走査方向に１走査ライン幅の整数倍の間隔で前記被走査面上と同等となる位置に設けられ、該複数の受光部によって前記透過部材から透過した光ビームの一部を検知し、該複数の受光部の各々の出力ピークの時間差に基づいて副走査方向の間隔を検出する検出手段と、前記検出手段による検出結果に基づいて、前記透過部材を移動させ、前記入射角度、或いは透過経路長を変更することにより、前記複数の光ビームの副走査方向の間隔を補正する補正手段と、を有することを特徴としている。
【００１９】
また、請求項５に記載されているように、前記透過部材が、平板ガラスであり、
前記補正手段が、主走査方向を回転軸にして前記平板ガラスを回転させて前記複数の光ビームの副走査方向の間隔を補正するようにしてもよい。
【００２１】
また、請求項６に記載されているように、前記透過部材が、断面形状が楔型のガラス板であり、前記補正手段が、前記ガラス板を副走査方向に移動して前記複数の光ビームの副走査方向の間隔を補正するようにしてもよい。
また、請求項７に記載されているように、前記補正手段が、前記被走査面上における前記複数の光ビーム間の副走査間隔が１走査ライン幅の整数倍になるように、前記複数の光ビームの副走査方向の間隔を補正するようにしてもよい。
【００２２】
【発明の実施の形態】
（第１の実施の形態）
次に、図面を参照して本発明に係る実施形態の例を詳細に説明する。
【００２３】
（光走査装置の全体構成）
図１には、本発明が適用された同時走査方式の光走査装置が示されている。図１に示されるように、光走査装置１００は、光源として、レーザダイオード１０２ａ、１０２ｂを備えている。このレーザダイオード１０２ａ、１０２ｂは、所望の画像データに基づいて変調された光ビームを射出する。なお、レーザダイオード１０２ａから射出された光ビームをＬＢＡといい、レーザダイオード１０２ｂから射出された光ビームをＬＢＢという。
【００２４】
レーザダイオード１０２ａ、１０２ｂから射出された光ビームＬＢＡ、ＬＢＢの進行方向下流側には、それぞれ集光レンズ群１０４ａ、１０４ｂが配設され、続いて回転多面鏡１０６が配設されている。レーザダイオード１０２ａ、１０２ｂから射出された光ビームＬＢＡ、ＬＢＢは、集光レンズ群１０４ａ、１０４ｂにより集光されるとともに平行光化され、回転多面鏡１０６に入射する。
【００２５】
回転多面鏡１０６は、側面に複数の反射面１０６Ａが設けられた正多角形状（本実施の形態では正六角形）に形成されており、入射された光ビームはこの反射面１０６Ａに収束するようになっている。
【００２６】
また、回転多面鏡１０６は、図示しない駆動モータに軸着されており、この駆動モータにより、矢印Ｃ方向に回転する。すなわち、各反射面１０６Ａに対する光ビームの入射角度が連続的に変化して偏向される。これにより、感光体ドラム１０８表面を矢印Ｊ方向（主走査方向）に走査して、光ビームが感光体ドラム１０８に照射される。また、光ビームＬＢＡ、ＬＢＢは、同一の反射面１０６Ａにより同一の偏向角度で偏向され、感光体ドラム１０８上を同時に偏向走査するようになっている。これにより、感光体ドラム１０８上を２ライン同時に走査して、画像を露光記録することができる。
【００２７】
回転多面鏡１０６により反射された光ビームの進行方向には、結像レンズ（ｆθレンズ）１１０が配置されている。この結像レンズ１１０により、感光体ドラム１０８に光ビームを照射するときの走査速度が等速度になるとともに、感光体ドラム１０８の周面上に結像点を結ぶ。
【００２８】
結像レンズ１１０よりも光ビームの進行方向下流側には、シリンドリカルミラー１１２が配設されている。シリンドリカルミラー１１２に反射されて、光ビームが感光体ドラム１０８方向に案内される。
【００２９】
シリンドリカルミラー１１２よりも光ビームの進行方向下流側には、入射面と出射面とが平行に形成されている平板ガラス１１４が配設されている。この平板ガラス１１４は、シリンドリカルミラー１１２によって反射された光ビームＬＢＡ、ＬＢＢが異なる入射角度で入射するように配置されている。
【００３０】
また、この平板ガラス１１４は、主走査方向を回転軸として矢印Ｅ方向に回転するようになっている。以下、この回転機構の一例について、図２を参照して説明する。
【００３１】
平板ガラス１１４の短手方向（光ビームの走査方向と直交する方向）の一端部で、且つ感光体ドラム１０８方向には、雄ねじが形成されている調整ねじ１２０が設けられている。また、光走査装置１００のケーシング１２２のこの調整ねじ１２０に対応する位置には、内部に雌ねじが形成されている孔１２３が形成されている。この孔１２３に調整ねじ１２０は貫通している。すなわち、平板ガラス１１４は、短手方向の一方の端部を調整ねじ１２０により支持されている。従って、この調整ねじ１２０の進退により、短手方向の他方の端部を回転軸として、すなわち、主走査方向を回転軸として矢印Ｅ方向に回転することができる。
【００３２】
なお、光走査装置１００の出荷時には、平板ガラスを矢印Ｅの両方向に回転させることができる予め定められた位置（以下「基準位置」という）に調整ねじ１２０がセットされるように、シリンドリカルミラー１１２等の他の光学部材の位置が調整されている。また、ケーシング１２２の平板ガラス１１４に対向する位置は、開口されている。
【００３３】
また、ケーシング１２２の内側で、且つ調整ねじ１２０に対向する位置には、支持部材１２４が備えられている。この支持部材１２４は、平板を長手方向に略９０度に屈曲され、さらにもう１回９０度以上屈曲されて階段状に形成されており、その一端部がケーシング１２２に固定され、他端部は、平板ガラス１１４の調整ねじ１２０の先端を押圧するように配置されている。すなわち、この支持部材１２４は、平板ガラス１１４を調整ねじ１２０の方向に抑えつけている。これにより、調整ねじ１２０による一点支持によっても、平板ガラス１１４が主走査方向に傾くことなく、安定して支持されるようになっている。
【００３４】
なお、この平板ガラス１１４の回転機構は、一例として挙げたものであり、本発明はこれに限定されるものではなく、平板ガラス１１４を主走査方向を回転軸にして回転できればどのような回転機構でもよい。
【００３５】
ところで、平板ガラス１１４に入射する光ビームは、平板ガラス１１４の回転角度によりその入射角度が変化し、該入射角度に応じて副走査位置が変化する。これにより、感光体ドラム１０８上の光ビームＬＢＡ、ＬＢＢの副走査方向の走査位置が調整される。なお、平板ガラス１１４の回転による光ビームの副走査方向の走査位置調整については、後で詳しく述べる。
【００３６】
平板ガラス１１４を透過した光ビームＬＢＡ、ＬＢＢは、主走査方向及び副走査方向にパワーを持つ光学部材を介さずに、そのまま感光体ドラム１０８上に照射される。
【００３７】
感光体ドラム１０８の表面は、図示しない帯電器によって予め一様に帯電されている。感光体ドラム１０８の表面に、上記の画像データに基づく光ビームが走査露光されることにより、静電潜像が形成される。この感光体ドラム１０８の表面に形成された静電潜像は、既知の電子写真プロセスによって可視像化されて記録紙上に転写定着され、画像の記録が行われる。
【００３８】
また、平板ガラス１１４と感光体ドラム１０８の間で、且つ光ビームの主走査方向上流側（図１における感光体ドラム１０８の左端方向）には、折り返しミラー１１６が配置されている。この折り返しミラー１１６により、感光体ドラム１０８の各ライン走査の最初の光ビームＬＢＡ、ＬＢＢが反射される。
【００３９】
折り返しミラー１１６による光ビームの反射方向で、且つ折り返しミラー１１６に対して感光体ドラム１０８と略等価な位置には、受光素子１１８が配置されている。受光素子１１８には、主走査方向及び副走査方向にパワーを持つ光学部材を介さずに、平板ガラス１１４を透過した光ビームＬＢＡ、ＬＢＢが入射するようになっている。また、受光素子１１８には、感光体ドラム１０８を走査するごとに、各ライン走査の最初の光ビームＬＢＡ、ＬＢＢが、感光体ドラム１０８における副走査間隔と同等の間隔を保って入射される。
【００４０】
この受光素子１１８は、図示しない制御回路に接続されており、受光素子１１８による検知結果に基づいて、光ビームＬＢＡと光ビームＬＢＢの副走査方向の間隔のずれが検出される。
【００４１】
（受光素子の例）
次に、受光素子１１８の構成例について説明する。
【００４２】
受光素子１１８は、光ビームＬＢＡ、ＬＢＢが矢印Ｆ方向に走査しながら入光し、光ビームＬＢＡ、ＬＢＢの副走査方向の変動によって、光ビームＬＢＡ、ＬＢＢの入光位置が矢印Ｇ方向に変動するように配置されている。
【００４３】
受光素子１１８には、図３（Ａ）に示されるように、光ビームを遮光するマスク１２６が受光面に取りつけられており、受光面中央部には、光ビームを検知可能な複数の受光部１２８が副走査方向に並んで形成されている。各受光部１２８は、副走査方向を短手方向とした帯状で、且つその短手方向の長さ寸法が感光体ドラム１０８上の光ビームの１走査ライン幅（以下「ライン幅」という）の整数倍となるように形成されている。また受光部１２８間の間隔は、１ライン幅となっている。すなわち、受像素子１１８では、光ビームが受光部１２８の領域に入射すると、設定値以上の出力ピークが得られるようになっている。
【００４４】
これにより、受光素子１１８により、入射された光ビームＬＢＡ、ＬＢＢがマスク１２６によりともに遮光されて検知されなかったとき、すなわち図３（Ｂ）に示されるように、予め設定された設定値以上の出力値が得られなかったときに、光ビームＬＢＡと光ビームＬＢＢの間隔がライン幅の整数倍になっていると判別できる。
【００４５】
なお、受光素子１１８は、図４（Ａ）に示されるように、受光部１２８の短手方向の長さ寸法が１ライン幅で、且つ受光部１２８間の間隔が１ライン幅の整数倍となるようにしてもよい。この場合、光ビームが受光部１２８に入射した場合のみ、図４（Ｂ）のように予め決められている設定値以上の出力ピークが得られる。
【００４６】
これにより、入射された光ビームＬＢＡ、ＬＢＢがともに受光部１２８を通過して検知されたとき、すなわち図４（Ｂ）に示されるように、予め設定された設定値（図３の設定値よりも高い値に設定される）以上の出力ピークが２本得られたとき、光ビームＬＢＡと光ビームＬＢＢの間隔が整数倍になっていると判別でいる。
【００４７】
また、このとき、図５（Ａ）に示されるように、各受光部１２８の主走査方向の長さ寸法がそれぞれ異なるようにしてもよい。この場合、図５（Ｂ）に示されるように、光ビームが入射した受光部１２８によって設定値以上の出力ピークが得られる時間が異なるので、２本の出力ピークの時間差（Δｔ″-Δｔ´）により、光ビームＬＢＡと光ビームＬＢＢとの副走査方向の間隔が何ライン分であるかを判別することができる。
【００４８】
なお、上記は受光素子１１８の一例を説明したものであり、本発明はこれに限定されるものではない。
【００４９】
（副走査方向の走査位置調整）
次に、平板ガラス１１４の回転による光ビームの副走査方向の走査位置調整について説明する。まず、図６（Ａ）を用いて、この副走査方向の走査位置調整の原理を説明する。
【００５０】
一般に、入射面と出射面とが平行に形成されている平板ガラスでは、屈折の法則（Snell's law）より、（１）の関係が成り立つ。
【００５１】
ｎ1ｓｉｎθ1＝ｎ2ｓｉｎθ2
ｎ2ｓｉｎθ2＝ｎ1ｓｉｎθ3           …（１）
なお、
ｎ1、ｎ2：屈折率
θ1：平板ガラスに対するビームの入射角度
θ2：平板ガラスに入射したビームの屈折角
θ3：平板ガラスに対するビームの出射角
である。
【００５２】
従って、平板ガラスに対するビームの入射角度と出射角には、（２）の関係が成り立つ。
【００５３】
θ1＝θ3                             …（２）
すなわち、平板ガラスを透過する光ビームの入射角度と出射角が等しく、平板ガラスを入射する光ビームに対してθ1だけ傾けて配設した場合、入射光ビームに対してΔｘのずれが生じる。このΔｘは平板ガラスの厚さをｔとして、（３）式のように表わされる。
【００５４】
Δｘ＝ｓｉｎ（θ1−θ2）／ｃｏｓθ2×ｔ    …（３）
なお、θ2は（１）式にも表されているようにθ1により決められるので、入射光ビームに対する出射光ビームのずれ量Δｘは、平面平板ガラスに対する入射角度θ1と平面平板ガラスの厚さｔとに依存する。
【００５５】
この原理を利用することにより、すなわち、光ビームＬＢＡの入射角度α、ビームビームＬＢＢの入射角度β、平板ガラスの厚さｔの少なくとも１つを変化させることにより、光ビームの副走査方向の走査位置を調整することができる（図６（Ｂ）参照）。本実施の形態では、前述の平板ガラス１１４を主走査方向を回転軸に回転させることにより、入射角度α、βを変化させている。以下に、この場合の感光体ドラム１０８上の光ビームＬＢＡ、ＬＢＢの間隔の変動量Ｄについて、具体的に数値をあげて説明する。
【００５６】
図７（Ａ）に、平板ガラス１１４が基準位置にセットされている場合の光ビームＬＢＡの入射角度αを２０°、ビームビームＬＢＢの入射角度βを３５°とし、且つ平板ガラスの厚さｔを３ｍｍとした場合の、平板ガラス１１４の基準位置からの回転角度における被走査面上の光ビームＬＢＡ、ＬＢＢの間隔Ｄ（感光体ドラムの接線上の距離、図６参照）の変動量を、横軸に平板ガラスの回転角度、縦軸に２つのビーム間隔の変動量を取って示している。また、表１にはこのときの計算結果が示されている。
【００５７】
なお、図７（Ａ）及び表１では、平板ガラス１１４が基準位置にセットされているときよりも、光ビームＬＢＡ、ＬＢＢのビーム間隔が広くなる場合を正として、ビーム間隔の変動量を示している。また、各光ビームＬＢＡ、ＬＢＢの感光体ドラム１０８上の走査位置が、平板ガラス１１４が基準位置にセットされているときよりも感光体ドラム１０８の回転方向下流側（図６（Ｂ）における右側）に移動する場合を正として、光ビームＬＢＡ，ＬＢＢの変動量を示している。
【００５８】
【表１】
0003752873.tif 000002
【００５９】
表１からも分かるように、平板ガラス１１４を基準位置から回転角度−３０°〜３０°まで回転することにより、ビーム間隔を−３３〜１７４μｍの間で調整することができる。すなわち、平板ガラス１１４が基準位置にセットされているときよりも、感光体ドラム１０８上の光ビームＬＢＡ、ＬＢＢの副走査方向の走査間隔を最大で３３μｍ狭めることができ、また最大で１７４μｍ広げることができる。
【００６０】
また、図７（Ｂ）は光ビームＬＢＡの入射角度が１５°、光ビームＬＢＢの入射角度が３５°、平板ガラスの厚さが３ｍｍの場合の、平板ガラス１１４の基準位置からの回転角度における被走査面上の光ビームＬＢＡ、ＬＢＢの間隔Ｄの変動量が示されている。また、表１にはこのときの計算結果が示されている。
【００６１】
【表２】
0003752873.tif 000003
【００６２】
表２からも分かるように、平板ガラス１１４を基準位置から回転角度−３０°〜３０°まで回転することにより、ビーム間隔を−４２〜２３８μｍの間で調整することができる。すなわち、平板ガラス１１４が基準位置にセットされているときよりも、感光体ドラム１０８上の光ビームＬＢＡ、ＬＢＢの副走査方向の走査間隔を最大で４２μｍ狭めることができ、また最大で２３８μｍ広げることができる。
【００６３】
（作用）
次に第１の実施の形態の作用について説明する。
【００６４】
光源１０２ａ、１０２ｂから射出された画像データに基づいて変調された光ビームＬＢＡ、ＬＢＢは、それぞれ集光レンズ群１０４ａ、１０４ｂを介して回転多面鏡１０６に入射する。回転多面鏡１０６は回転することにより光ビームＬＢＡ、ＬＢＢを偏向し、この光ビームＬＢＡ、ＬＢＢは結像レンズ１１０を通過し、シリンドリカルミラー１１２により反射され、平板ガラス１１４に互いに異なる入射角度α、βで入射する。平板ガラス１１４を透過した光ビームＬＢＡ、ＬＢＢは、副走査方向に並んで感光体ドラム１０８上を主走査する。
【００６５】
また、平板ガラス１１４を通過した各ライン走査の最初の光ビームＬＢＡ、ＬＢＢは、折り返しミラー１１６で反射して受光素子１１８に入射する。この受光素子１１８による光ビームＬＢＡ、ＬＢＢの検知結果に従って、図示しない制御回路では、光ビームＬＢＡと光ビームＬＢＢの副走査方向の間隔が、光ビームのライン幅の整数倍であるかを判断する。
【００６６】
光ビームＬＢＡと光ビームＬＢＢの副走査方向の間隔が、光ビームのライン幅の整数倍ではない場合は、光ビームＬＢＡ、ＬＢＢが副走査方向にずれていると判断し、平板ガラス１１４を矢印Ｅ方向に回転させる。これにより、平板ガラス１１４に対する光ビームＬＢＡ、ＬＢＢの入射角度α、βが変化し、光ビームＬＢＡ、ＬＢＢの感光体ドラム１０８上の副走査位置がそれぞれ変化する。これにより、光ビームＬＢＡ、ＬＢＢの副走査間隔の調整が行なわれる。
【００６７】
上記のように、第１の実施の形態では、同時走査方式の光走査装置において、２本の光ビームＬＢＡ、ＬＢＢの副走査方向の間隔を検出し、平板ガラス１１４を回転させることにより、感光体ドラム１０８上のビーム間隔が光ビームのライン幅の整数倍となるように調整することができる。
【００６８】
このとき、副走査方向の間隔を検出する検出手段（受光素子１１８）には、主、及び副走査方向にパワーを持つ光学部材を介さずに、平板ガラス１１４を透過した光ビームＬＢＡ、ＬＢＢが入射し、この光ビームＬＢＡ，ＬＢＢにより該間隔を検出する。また、感光体ドラム１０８にも、主、及び副走査方向にパワーを持つ光学部材を介さずに、平板ガラス１１４を透過した光ビームＬＢＡ、ＬＢＢが照射される。これにより、検出した副走査方向の間隔のずれ量から平板ガラス１１４の回転量を容易に求めることができ、且つ複雑な制御（演算）回路を必要とせずに、高精度の光ビームの間隔調整を行なうことができる。
【００６９】
なお、上記では、平板ガラス１１４を回転させることにより、光ビームＬＢＡ、ＬＢＢの平板ガラス１１４に対する入射角度を変化させ、副走査位置を調整したが本発明はこれに限定されるものではない。光ビームＬＢＡ、ＬＢＢの入射角度、あるいは光ビームが透過するガラスの厚さ（透過経路長）を変化させることができれば、如何なる透過部材、如何なる移動機構でもよい。
【００７０】
例えば、また、図８（Ａ）に示すように、平板ガラス１１４の代わりに断面形状が模型のガラス柱１３０を配置し、このガラス柱１３０を副走査方向（矢印Ｈに示される方向）に移動することができる機構を設けてもよい。この場合、図８（Ｂ）に示すように、ガラス柱１３０の移動（矢印Ｉ参照）によっても光ビームのガラス柱１３０に対する入射角度は変わらないが、光ビームが透過するガラス柱１３０の厚さがｔ1からｔ2に変化するので、光ビームを副走査方向にΔｘ移動させることができ、同様な効果が得られる。この場合、ガラス柱１３０によりケーシング１２２の開口部を常に塞ぐ状態にできるため、防塵の効果も得られる。
【００７１】
（第２の実施の形態）
次に、分割走査方式の光走査装置に対する本発明の実施形態の例を詳細に説明する。なお、以下に説明する分割走査方式の光走査装置では、２つのビームのつなぎ目における副走査位置ずれを補正するために本発明を適用している。
【００７２】
（光走査装置の全体構成）
図９には、本発明が適用された分割走査方式の光走査装置が示されている。
【００７３】
図９に示すように、光走査装置２００は、光源としてレーザダイオード２０２ａ、２０２ｂを備えている。なお、レーザダイオード２０２ａから照射された光ビームを光ビームＬＢＣといい、レーザダイオード２０２ｂから照射された光ビームを光ビームＬＢＤということにする。
【００７４】
レーザダイオード２０２ａの光軸上には、レーザダイオード２０２ａに近いほうから順に、集光レンズ群２０４ａ、反射ミラー２０６ａが配置され、レーザダイオード２０２ｂの光軸上には、レーザダイオード２０２ｂに近いほうから順に、集光レンズ群２０４ｂ、反射ミラー２０６ｂが配置されている。
【００７５】
レーザダイオード２０２ａ、２０２ｂの各々の光軸上には更に、反射ミラー２０６ａ、反射ミラー２０６ｂに近いほうから順に、ｆθレンズ２０８（第１のレンズ２０８Ａ、第２のレンズ２０８Ｂ）、回転多面鏡２１０が配置されている。なお、回転多面鏡２１０により反射（偏向）された光ビームＬＢＣ、ＬＢＤは再度、ｆθレンズ２０８（第２のレンズ２０８Ｂ、第１のレンズ２０８Ａ）を透過する。また、回転多面鏡２１０の各偏向面の走査ライン方向の長さは、該偏向面に入射する際の光ビームＬＢＣ、ＬＢＤの走査ライン方向のビーム径の長さより短くなっている（所謂、オーバーフィルド系）。なお、以下、走査ライン方向を主走査方向といい、走査ライン方向と直交する方向を副走査方向という。
【００７６】
レーザダイオード２０２ａ、２０２ｂの各々の光軸上には更に、シリンドリカルミラー２１２ａ、２１２ｂが配置されている。このシリンドリカルミラー２１２ａ、２１２ｂにより、光ビームＬＢＣ、および光ビームＬＢＤは感光体ドラム２１４に案内される。
【００７７】
また、シリンドリカルミラー２１２ａ、２１２ｂと感光体ドラム２１４の間には、第１の実施の形態と同様に主走査方向を回転軸として回転可能な平板ガラス２１６が配設されている。この平板ガラス２１６の回転により、光ビームＬＢＣ、および光ビームＬＢＤの副走査方向の走査位置を変化させ、副走査方向の走査位置を調整することができるようになっている。
【００７８】
また、平板ガラス２１６よりも光ビームＬＢＣの進行方向下流側で、且つ光ビームＬＢＣによって感光体ドラム２１４が走査される際に感光体ドラム２１４の画像領域に最初に入射する位置以前の予め定められた位置には、ミラー２１８ａが配置されている。
【００７９】
ミラー２１８ａによって反射された光ビームＬＢＣの光軸上で、且つミラー２１８ａに対して感光体ドラム２１４と略等価な位置には、検知手段としてのスタートオブスキャン（以下、ＳＯＳという）センサ２２０ａが配置されている。これにより、ＳＯＳセンサ２２０ａには、主走査方向及び副走査方向にパワーを持つ光学部材を介さずに、平板ガラス２１６からの光ビームＬＢＣが入射される。また、光ビームＬＢＤが、感光体ドラム２１４上の主走査位置及び副走査位置の変動とほぼ同等に変動して入射する。
【００８０】
また、平板ガラス２１６よりも光ビームＬＢＤの進行方向下流側で、且つ光ビームＬＢＤによって感光体ドラム２１４が走査される際に感光体ドラム２１４の画像領域に最後に光ビームＬＢＤが入射する位置以後の予め定められた位置には、ミラー２１８ｂが配置されている。
【００８１】
ミラー２１８ｂによって反射された光ビームＬＢＤの光軸上で、且つミラー２１８ｂに対して感光体ドラム２１４と略等価な位置には、検知手段としてのエンドオブスキャン（以下、ＥＯＳという）センサ２２０ｂが配置されている。これにより、ＥＯＳセンサ２２０ｂには、主走査方向及び副走査方向にパワーを持つ光学部材を介さずに、平板ガラス２１６からの光ビームＬＢＤが入射される。また、光ビームＬＢＤが、感光体ドラム２１４上の主走査位置及び副走査位置の変動とほぼ同等に変動して入射する。
【００８２】
ＳＯＳセンサ２２０ａからは、主走査方向の書き出しタイミングを規定するＳＯＳ信号が出力され、ＥＯＳセンサ２２０ｂからは、主走査方向の書き終わりタイミングを規定するＥＯＳ信号が出力される。ＳＯＳセンサ２２０ａ、ＥＯＳセンサ２２０ｂは、図示しない制御回路に接続されており、このＳＯＳ信号、ＥＯＳ信号に基づいて光ビームＬＢＣと光ビームＬＢＤとの主走査方向および副走査方向の走査位置を検出し、光ビームＬＢＣ、ＬＢＤの主走査方向および副走査方向の走査位置補正が行なわれる。
【００８３】
（ＳＯＳセンサ、ＥＯＳセンサの構成例、及び光ビームの走査位置検出）
次に、ＳＯＳセンサ２２０ａ、ＥＯＳセンサ２２０ｂの一例、及び光ビームの走査位置検出方法の一例について説明する。なお、ここでは、ＳＯＳセンサ２２０ａ及びＥＯＳセンサ２２０ｂを同一の構成とし、以下、ＳＯＳセンサ２２０ａのみを説明する。
【００８４】
ＳＯＳセンサ２２０ａは、図１０に示すように、光ビームＬＢＣの走査ラインと直交する副走査方向に複数（本形態では、２つ）配置され、かつ、ＳＯＳセンサ２２０ａに入射する光ビームＬＢＣを受光する２つの、受光手段としての受光素子（フォトダイオード）２２２Ｎ１、２２２Ｎ２により構成されている。なお、受光素子２２２Ｎ１、２２２Ｎ２は、光ビームを受光すると、受光量に比例した強度の信号を出力する。この出力信号の強度に基づいて、光ビームＬＢＣの副走査方向の走査位置を検出する。
【００８５】
具体的には、光ビームＬＢＣ、ＬＢＤによる走査ラインが、イニシャル状態よりも、副走査方向又は副走査方向と逆方向へ移動すると、受光素子２２２Ｎ１、２２２Ｎ２の一方の受光量が大きくなり、他方の受光量が小さくなる。即ち、走査ラインがイニシャル状態（図１０（Ａ）参照）よりも副走査方向と逆方向に移動すると、図１０（Ｂ）に示すように、受光素子２２２Ｎ１の受光量が大きくなり、受光素子２２２Ｎ２が小さくなる。一方、走査ラインがイニシャル状態よりも副走査方向に移動すると、図１０（Ｃ）に示すように、受光素子２２２Ｎ１の受光量が小さくなり、受光素子２２２Ｎ２が大きくなる。光ビームＬＢＤの走査ラインの移動方向及び移動量についても同様に認識することができる。
【００８６】
なお、上記では、ＳＯＳセンサ２２０ａの一例を説明したものであり、本発明はこれに限定されるものではない。副走査位置に応じて出力を変化させるものであれば、どのような構成でもよい。
【００８７】
一方、主走査方向の位置については、ＳＯＳセンサ２２０ａとＥＯＳセンサ２２０ｂによる光ビームＬＢＣ、ＬＢＤの検知タイミングにより、光ビームＬＢＣ、ＬＢＤの相対的な位置を検出する。
【００８８】
具体的には、感光体ドラム２１４上の各主走査ライン上のドット数（画素数）は一定であるので、ＳＯＳ信号の発生から次のＳＯＳ信号の発生までのドット数は一定である。これを利用して、ＳＯＳセンサ２２０ａにより光ビームＬＢＣを検知してＳＯＳ信号が発生されてから、ＥＯＳセンサ２２０ｂにより光ビームＬＢＤを検知してＥＯＳ信号が発生されるまでの時間を、所定周波数で発振される発振クロックＣＬＫ０をカウントして計測する。この計測値と、イニシャル状態（光走査装置の組立直後の正常状態であり、光ビームＬＢＣと光ビームＬＢＤとが主走査方向及び複数走査方向に渡って連続している状態）における計測値とを比較することにより、光ビームＬＢＣと光ビームＬＢＤの相対的な位置を検出することができる。
【００８９】
（作用）
次に第２の実施の形態の作用について説明する。
【００９０】
レーザダイオード２０２ａ、２０２ｂより発せられた光ビームＬＢＣ、ＬＢＤは、それぞれ集光レンズ群２０４ａ、２０４ｂを通過した後、反射ミラー２０６ａ、２０６ｂで反射し、ｆθレンズ２０８（第１のレンズ２０８Ａ、第２のレンズ２０８Ｂの順）を通過して、回転多面鏡２１０に入射する。回転多面鏡２１０は回転することにより光ビームＬＢＣ、ＬＢＤをそれぞれ偏向し、光ビームＬＢＣ、ＬＢＤは、それぞれｆθレンズ２０８（第２のレンズ２０８Ｂ、第１のレンズ２０８Ａの順）を再度通過し、シリンドリカルミラー２１２ａ、２１２ｂにて反射され、平板ガラス２１６を透過して感光体ドラム２１４に照射する。これにより、光ビームＬＢＣでは画像領域の前半部分Ｒa を走査し、光ビームＬＢＤでは画像領域の後半部分Ｒｂを走査する。
【００９１】
一方、画像領域走査前の光ビームＬＢＣはミラー２１８ａで反射して、ＳＯＳセンサ２２０ａに入射する。これにより、ＳＯＳセンサ２２０ａは主走査方向の書きだしタイミングの起点となるＳＯＳ信号を発生する。また、画像領域走査前の光ビームＬＢＤがミラー２１８ｂで反射して、ＥＯＳセンサ２２０ｂに入射する。ＥＯＳセンサ２２０ｂは主走査方向の書き終わりタイミングを規定するＥＯＳ信号を発生する。
【００９２】
上記ＳＯＳ信号、およびＥＯＳ信号に基づいて、図示しない制御回路では光ビームＬＢＣ、光ビームＬＢＤの主走査方向および副走査方向の相対的な位置（すなわち、互いの位置ずれ）を検出する。また、この位置検出結果に基づいて、光ビームＬＢＣ、ＬＢＤが主走査方向及び複数走査方向に渡って連続するように、すなわち、光ビームＬＢＣ、ＬＢＤのつなぎ目の位置ずれが補正されるように、光ビームＬＢＣ、ＬＢＤの照射位置調整が行なわれる。
【００９３】
主走査方向の調整は、本実施形態では、ＳＯＳ信号の位相と同期し、かつ、ＳＯＳ信号が入力された時から再度ＳＯＳ信号が入力されるまでの間、一定数の発振クロックＣＬＫ０を発振し、発振された発振クロックＣＬＫ０に基づいて、光ビームＬＢＣ、ＬＢＤを照射するようにしており、検出された主走査方向の位置ずれ分だけ、光ビームＬＢＣあるいは光ビームＬＢＤの射出開始タイミングをずらすことで行なう。
【００９４】
次に副走査方向の調整について、図１１を用いて説明する。図１１（Ａ）は、感光体ドラム２１４上の光ビームＬＢＣと光ビームＬＢＤとが、つなぎ目で副走査方向に２ライン分ずれている状態である。ここで、第１の実施の形態と同様に、平板ガラス２１６の回転によって、感光体ドラム２１４上の２ビーム間隔を変化させ、図１１（Ｂ）に示すように１ライン以下の精度で調整することができる。
【００９５】
このように、第２の実施の形態では、分割走査方式の光走査装置において、光ビームＬＢＣ、ＬＢＤのつなぎ目の副走査位置を１ライン以下の高精度で接続することができる。
【００９６】
また、感光体ドラム２１４、及び位置検出を行なうセンサ（ＳＯＳセンサ２２０ａ、ＥＯＳセンサ２２０ｂ）と、副走査方向の位置調整を行なう平板ガラス２１６との間に、主、及び副走査方向にパワーを持つ光学部材が介在しないので、簡単な構成で容易に副走査位置の調整ができる。
【００９７】
ところで、副走査位置の調整量が多量になると、平板ガラスの厚さや入射角度の調整量が増大し、走査線の湾曲やビーム径の悪化などが生じる恐れがある。このため、多量の調整が必要なことが想定される場合は、１ライン単位で副走査位置を調整する機構を付加してもよい。
【００９８】
１ライン単位での副走査方向の調整は、例えば、図１２に示されているように、レーザダイオード２０２ａにより露光形成される画像データを複数ライン分格納するギャップメモリ３４６ａと、レーザダイオード２０２ｂにより露光形成される画像データを複数ライン分格納するギャップメモリ３４６ｂを設け、副走査方向の走査位置ずれに応じて、露光走査時にギャップメモリ３４６ａ、ｂの読出位置をライン単位で互いに独立に変更することで行なう、従来技術を用いることが考えられる（特開平１０−２３２３５７号公報参照）。
【００９９】
これにより、単独で調整するときよりも、両者の調整量を半減することが可能である。すなわち、平板ガラスの厚さや入射角度の増大を防ぎ、且つ従来の１ライン単位の調整に必要であったイメージメモリの数や容量を減らすことができ、より安価に実現することが可能となる。
【０１００】
なお、上記第２の実施の形態では、平板ガラス２１６を回転させることによって、副走査位置の調整を行なったが、本発明はこれに限定されるものではない。光ビームＬＢＣ、ＬＢＤの入射角度または透過する厚さを変化させ、副走査位置を変化させることができれば、如何なる透過部材および移動機構でもよい。例えば、第１の実施の形態でも述べたように、楔型のガラス板を副走査方向移動させて、副走査位置の調整を行なってもよい。
【０１０１】
また、主走査方向の書き出し位置の光ビームＬＢＣと、書き終わり位置の光ビームＬＢＤを検知して、光ビームＬＢＣ、ＬＢＤの走査位置を検出したが、本発明はこれに限定されるものではない。例えば、光ビームＬＢＣ、ＬＢＤにより互いに重なり合って露光走査されるオーバラップ領域を設け、このオーバラップ領域を走査する光ビームＬＢＣ、ＬＢＤを検知するようにしてもよい。この場合、光ビームＬＢＣ、ＬＢＤのつなぎ目、あるいはつなぎ目近傍の光ビームを用いて、走査位置検出が行なわれるので、より高精度な副走査位置の調整を行うことができる。
【０１０２】
また、光ビームＬＢＣ、ＬＢＤの射出開始タイミング図るために従来より設けられているＳＯＳセンサ、ＥＯＳセンサを用いて、副走査位置を検出したが、本発明はこれに限定されるものではない。別途、副走査位置検出用の検知手段を設けてもよい。また、第１の実施の形態と同様に、１ライン幅の整数倍間隔で遮光部または受光部が設けられた検知手段（受光素子）により、光ビームＬＢＣ、ＬＢＤの副走査位置の間隔が、ライン幅の整数倍であるか否かを検出できるようにしてもよい。
【０１０３】
また、上記第１の実施の形態、第２の実施の形態では、透過部材にガラス（平行平板ガラス１１４、２１６、ガラス柱１３０）を用いて、副走査位置の補正を行なったが本発明はこれに限定されるものではなく、光ビームを屈折させて透過するものであればよい。
【０１０４】
また、複数の透過部材を組み合わせ、光ビームが該複数の透過部材を透過するようにしてもよい。さらに、複数の透過部材を設け、光ビームごとに透過させる透過部材を異なるようにしてもよい。このように複数の透過部材を用いる場合は、該複数の透過部材を一括して移動するようにしてもよいし、独立に移動させてもよいし、固定のものと移動可能なものに分けてもよい。
【０１０５】
また、回転多面鏡を用いた例を説明したが、本発明はこれに限定されるものではなく、ガルバノメータミラー等を用いるようにしてもよい。
【０１０６】
また、同時走査方式の光走査装置と、分割走査方式の光走査装置とに分けて説明したが、本発明はこれに限定されるものではなく、同時走査方式で、且つ分割走査方式の光走査装置にも適用してもよい。
【０１０７】
【発明の効果】
上記に示したように、本発明では、２ビームの光走査装置に係り２ビームの相対的な間隔を調整することができ、かつ分割走査方式の光走査装置においては、被走査媒体上のつなぎ目部の副走査方向の走査線位置を１ライン以下の精度で合わせることができ、安価で容易な調整機構を提供することができる。
【図面の簡単な説明】
【図１】  第１の実施の形態における同時走査方式の光走査装置の概略構成図である。
【図２】  第１の実施の形態における同時走査方式の光走査装置の平板ガラス周辺の詳細構成図である。
【図３】  受光素子の一例を示す図であり、（Ａ）は構成図、（Ｂ）は出力信号を示す図である。
【図４】  受光素子の一例を示す図であり、（Ａ）は構成図、（Ｂ）は出力信号を示す図である。
【図５】  受光素子の一例を示す図であり、（Ａ）は構成図、（Ｂ）は出力信号を示す図である。
【図６】  （Ａ）は副走査位置補正の原理を示す概念図であり、（Ｂ）は本実施の形態における副走査補正の原理を示す概念図である。
【図７】  具体的な平板ガラスの回転による副走査間隔の変動量を示す図であり、（Ａ）は光ビームＬＢＡの入射角度αを２０°、光ビームＬＢＢの入射角度βを３５°、平板ガラスの厚さｔを３ｍｍとした場合の変動量を示し、（Ｂ）は光ビームＬＢＡの入射角度αを１５°、光ビームＬＢＢの入射角度βを３５°、平板ガラスの厚さｔを３ｍｍとした場合の変動量を示す。
【図８】  平板ガラスの変わりに楔型のガラス柱を用いた場合の（Ａ）は光走査装置の構成図を示し、（Ｂ）は副走査位置補正の原理を示す概念図である。
【図９】  第２の実施の形態における分割走査方式の光走査装置の概略構成図である。
【図１０】  第２の実施の形態におけるＳＯＳセンサ、ＥＯＳセンサの一例を示す図であり、（Ａ）は走査ラインがイニシャル状態、（Ｂ）は副走査方向と逆方向に移動した状態、（Ｃ）は副走査方向に移動した場合の光ビームの入射位置を示す。
【図１１】  第２の実施の形態における副走査位置補正を説明する図であり、（Ａ）は補正前、（Ｂ）は補正後の副走査位置を示す。
【図１２】  １ライン単位での副走査位置補正方法の一例を示す図である。
【図１３】  従来の１光ビームによる光走査装置の概略構成図である。
【図１４】  従来の複数光ビームによる光走査装置（同時走査方式）の概略構成図である。
【図１５】  従来の同時走査方式の光走査装置における副走査位置補正を説明する図である。
【図１６】  従来の複数光ビームによる光走査装置（分割走査方式）の概略構成図である。
【符号の説明】
１００    光走査装置（同時走査方式）
１０２ａ、１０２ｂ    レーザダイオード
１０６    回転多面鏡
１０８    感光体ドラム
１１４    平板ガラス
１１８    受光素子
１２０    調整ねじ
１２６    マスク
１２８    受光部
１３０    ガラス柱
２００    光走査装置（分割走査方式）
２０２ａ、２０２ｂ    レーザダイオード
２１０    回転多面鏡
２１４    感光体ドラム
２１６    平板ガラス
２２０ａ    ＳＯＳセンサ
２２０ｂ    ＥＯＳセンサ
３４６ａ、３４６ｂ    ギャップメモリ
【図１】
0003752873.tif 000004
【図２】
0003752873.tif 000005
【図３】
0003752873.tif 000006
【図４】
0003752873.tif 000007
【図５】
0003752873.tif 000008
【図６】
0003752873.tif 000009
【図７】
0003752873.tif 000010
【図８】
0003752873.tif 000011
【図９】
0003752873.tif 000012
【図１０】
0003752873.tif 000013
【図１１】
0003752873.tif 000014
【図１２】
0003752873.tif 000015
【図１３】
0003752873.tif 000016
【図１４】
0003752873.tif 000017
【図１５】
0003752873.tif 000018
【図１６】
0003752873.tif 000019